(57)【特許請求の範囲】
【請求項１】
貫通孔が設けられた基板へ金属を充填することによって形成される貫通電極基板の製造方法であって、
前記貫通孔が設けられた基板と導電層を有する基板とが結合された基板を用意する工程と、
前記導電層から通電して前記貫通孔内の一部に第１のめっき層を形成する工程と、
前記第１のめっき層上に第２のめっき層を形成する工程と、
前記貫通孔が設けられた基板と導電層を有する基板とが結合された基板から、前記導電層を有する基板を分離する工程と、
前記導電層を有する基板が結合されていた側から、前記第１のめっき層をエッチング除去する工程と、
前記第１のめっき層がエッチング除去された孔内に、前記第２のめっき層から通電して第３のめっき層を形成する工程と、
を有することを特徴とする貫通電極基板の製造方法。
【請求項２】
前記第１のめっき層が銅またはニッケルのめっき層であることを特徴とする請求項１に記載の貫通電極基板の製造方法。
【請求項３】
前記第２のめっき層と、前記第１のめっき層がエッチング除去された孔内に前記第２のめっき層から通電して形成される前記第３のめっき層と、が同一もしくは異なった金属のめっき層で、金、白金、パラジウム、ルテニウム、イリジウムの何れかのめっき層であることを特徴とする請求項１または２に記載の貫通電極基板の製造方法。
【発明の詳細な説明】
【技術分野】
【０００１】
本発明は、貫通電極基板及びその製造方法に関する。
【背景技術】
【０００２】
ＬＳＩに代表される様に、各種のシステムは高速化、高機能化してきている。これらのシステムを実現していくために、チップ実装には３次元的な実装技術が必要とされ、チップ間を最短距離で電気的に接続できる基板貫通電極が用いられている。基板貫通電極の形成は、基板に貫通する貫通孔を形成した後、この貫通孔内に金属を埋め込んで行われ、この金属を通じて基板の上下に積層される基板相互間を電気的に接続する。この貫通孔内への金属の埋め込み方法としては、電気めっきにて形成されるめっき層にて充填を行うことが一般的である。ここで、電気めっきにて貫通孔内に金属を充填した後に、貫通孔からはみ出しためっき層を研磨にて平坦化する方法がとられている。しかし、このめっきによる貫通孔内への金属の充填では、電気的な接続不良を誘発してしまうボイドの発生が致命的である。
【０００３】
特許文献１では、導電性芯材を貫通孔下に設け、芯材を給電手段とすることによりめっきにて金属を貫通孔内へ充填する際のボイド発生を抑制する方法が開示されている。この方法は、芯材よりも貫通孔径が大きくアスペクトが小さな貫通孔内への金属の充填に対しては有効である。
【先行技術文献】
【特許文献】
【０００４】
【特許文献１】特開２００６−１３５１７５号公報
【発明の開示】
【発明が解決しようとする課題】
【０００５】
しかしながら、特許文献１の技術は、芯材よりも貫通孔径が充分大きいときには有効であるが、デバイスの高密度化によって貫通孔のアスペクトが大きく且つ貫通孔の開口径が小さくなるにつれ、貫通孔と芯材との隙間が小さくなると、課題が生じる。つまり、結果的に貫通孔の隙間のアスペクトが大きくなるので、めっき液の循環が充分にされないことが懸念される。めっき液の循環が充分でないと貫通孔内の深さ方向にめっき液の金属イオンの濃度勾配が発生し、開口面に近い部分のめっき成長が優位になってボイドが発生してしまう可能性が生じる。金属イオン濃度の高いめっき液を用いればこの傾向は緩和されるものの、めっき液の安定性を考慮すると、使用できる金属めっき液は限られ、充填できる金属の種類も限定されてしまう。つまり、めっき液の安定性が低下すると局所的にめっきの異常析出が発生してしまう。そして、貫通孔内に異常析出が発生すると、局所的に貫通孔から早くめっきが突出し、隣接する貫通孔を塞いでボイドとなるので、使用できる金属めっき液は限られてしまう。
【０００６】
銅めっきは、近年、添加剤の開発により高アスペクト（径に対して深さが大きい）なスルーホールめっきが可能になってきているが、それ以外の金属めっきでは充分なめっきを行うことは必ずしも容易ではなく、更なる改善が望まれている。反面、銅はマイグレーションし易く、容易に酸化され易い金属である。例えば、銅めっきで形成された貫通電極を偏向デバイス電極として用い、貫通電極間に電子ビームを通過させると、銅は容易に酸化されるため表面の絶縁性が高まりチャージアップしてしまい、所望の偏向を得られ難くなる。また、銅は、金やはんだの様に他の金属との電気的な接続が必ずしも容易ではないため、チップ間接続の際には接続用のバンプ表面加工等が必要とされる。この様に、貫通孔のめっき充填性とめっき後のめっき金属の安定性のうちの少なくともめっき充填性を向上させることが可能な貫通電極基板の製造方法や基板の貫通孔内への金属充填方法などが求められている。
【課題を解決するための手段】
【０００７】
上記課題に鑑み、本発明は、貫通孔が設けられた基板へ金属を充填することによって形成される貫通電極基板の製造方法であって、前記貫通孔が設けられた基板と導電層を有する基板とが結合された基板を用意する工程と、前記導電層から通電して前記貫通孔内の一部に第１のめっき層を形成する工程と、前記第１のめっき層上に第２のめっき層を形成する工程と、前記貫通孔が設けられた基板と導電層を有する基板とが結合された基板から、前記導電層を有する基板を分離する工程と、前記導電層を有する基板が結合されていた側から、前記第１のめっき層をエッチング除去する工程と、前記第１のめっき層がエッチング除去された孔内に、前記第２のめっき層から通電して第３のめっき層を形成する工程と、を有することを特徴とする。
【発明の効果】
【００１０】
本発明によれば、複数回に分けてめっきを行って貫通孔内にめっき層を形成するので、たとえ比較的高アスペクトな貫通孔であっても、貫通孔への金属のめっき充填性を向上させることができる。
【図面の簡単な説明】
【００１１】
【図１】本発明の貫通電極基板の製造方法、基板の貫通孔内への金属充填方法、貫通電極基板の実施形態ないし実施例を説明するための断面の模式図である。
【図２】本発明の第１の実施例を説明するための断面の模式図である。
【発明を実施するための形態】
【００１２】
本発明の特徴は、それぞれ異なる導電部から通電して複数回に分けてめっきを行って貫通孔内にめっき層を形成することにある。この考え方に基づいて、本発明の貫通電極基板の製造方法では、貫通孔が設けられた基板と導電層を有する基板が結合された基板を用意し、導電層から通電して貫通孔内の一部に第１のめっき層を形成する。そして、第１のめっき層から通電してこの層上に第２のめっき層を形成する。また、基板の様な何らかの部材の貫通孔内への金属充填方法という観点から言えば、貫通孔の一端に導電層を配して、この導電層から通電して貫通孔内の一部に第１のめっき層を形成し、第１のめっき層から通電してこの層上に第２のめっき層を形成する。また、本発明の貫通電極基板は、貫通孔が設けられた基板の貫通孔内の一部に形成されためっき層と、このめっき層上に積層された別のめっき層と、を有する。
【００１３】
以下、図面を参照しつつ、本発明の一実施形態を詳細に説明する。
本実施例において、まず、図１（ａ）に示す様に、貫通孔５が設けられた基板１と導電層４を有する基板２とが結合された基板３を用意する。貫通孔が設けられた基板１は、シリコン、ガラス、石英等の無機材料や、アクリル、ポリエチレンテレフタレート、塩化ビニル、ポリプロピレン、ポリカーボーネート等の有機樹脂材料を使用できる。これら基板材料は、後で使用するめっき液に対して耐性のあるものから選択する。導電層を有する基板２としては、絶縁性基板上に金属膜を成膜したものを用いることができる。絶縁性基板の材料としては、シリコン、ガラス、石英等の無機材料や、アクリル、ポリエチレンテレフタレート、塩化ビニル、ポリプロピレン、ポリカーボーネート等の有機樹脂材料を使用できる。これら基板材料も、使用するめっき液に対して耐性のあるものから選択する。表面に導電層を有する基板２として、金属材料も用いられる。金属材料を用いる場合は、前述の様に金属膜を成膜する工程を省くことができる。金属材料としては、ステンレス、ハステロイ（登録商標）、ニッケル、チタン、白金等を使用できる。ここでもまた、使用するめっき液に対して耐性のあるものから選択する。
【００１４】
貫通孔が設けられた基板１と導電層４を有する基板２との結合は、フォトレジストを結合層として使用し、貫通孔５下のフォトレジストをウェットもしくはドライエッチングにて除去し、導電層４を露出させても良い。また、導電性を有する基板上２に非イオン性界面活性剤をコートし、その上に貫通孔が設けられた基板１を配置し、非イオン性界面活性剤の融点以上に加熱、冷却して両基板を結合しても良い。この場合は、貫通孔５下の導電層を露出は、水溶性溶媒を使って行うことができる。ただし、基板の結合方法はこれらの方法に限定されない。
【００１５】
次に、導電層４から通電し貫通孔５内の一部に第１のめっき層６を形成する（図１（ｂ））。貫通孔が設けられた基板１としてシリコンを用いる場合、貫通孔５のめっき液が触れる部分に予め絶縁層を形成しておくことが好ましい。絶縁層を形成しておくことによって、第１のめっき層６は、導電層４のみからめっきが成長しボイドの発生が抑制される。第１のめっき層６として、銅、ニッケル、亜鉛、クロム、鉄及びこれらの合金が使用できる。高アスペクトな貫通孔へのめっきでは、高濃度で且つ添加剤の開発されためっきが良く、この点においては銅やニッケルが好ましい。銅やニッケルのめっき液は、金属イオンが高濃度なめっき液を調製でき、各貫通孔５下の導電層４上から均一なめっき核発生と成長がされ易い。
【００１６】
本実施形態では、次に、第１のめっき層６上に、第１のめっき層６に対してエッチング選択性を有する第２のめっき層７を形成する（図１（ｃ））。予め第１のめっき層６が貫通孔５の一部に充填されているので、アスペクトを小さくした状態で第２のめっき層７を形成できる。導電層４からの第１のめっき層６の厚さは、第２のめっき層７が形成し易い厚さまで形成しておく。第１のめっき層６の厚さが大きいほど第２のめっき層７を充填する孔のアスペクトは小さくなるため、孔内へのめっき液の循環が効率良く行なわれ、第２のめっき層７は均一に成長し易くなる。ただし、第１のめっき層６と第２のめっき層７とが互いに拡散し易く、且つ貫通孔５から露出する第２のめっき層７を金バンプの様に接合層にする場合は、次の様にするのが良い。即ち、第１のめっき層６の厚さを小さくし、第１のめっき層６の第２のめっき層７中への拡散距離を大きくした方が好ましい。
【００１７】
以上の方法により、高アスペクトな貫通孔５にめっき充填が困難であった金属でも充填することが可能になる。ここで、第２のめっき層７として、酸化されにくいものを選択すれば、他のチップとの接合の際のコンタクト抵抗を下げることができる。第２のめっき層７に例えば金を用いることによって、そのまま他のチップとの接合層としても使用できる様になる。場合によっては、第２のめっき層７を形成した状態で基板２を分離し、これを貫通電極基板として用いることも可能である。こうした場合、第２のめっき層は、必ずしも第１のめっき層に対してエッチング選択性のある金属である必要はない。
【００１８】
本実施形態では、第２のめっき層７は第１のめっき層６に対してエッチング選択性のあるものから選択される。上述の第１のめっき層に対してエッチング選択性のある金属としては、金、白金、パラジウム、ルテニウム、イリジウムが挙げられる。これらの金属は、銅やニッケルのエッチング液に用いられる塩化第二鉄水溶液や過硫酸アンモニウムと硝酸の混合水溶液に対してエッチング耐性がある。しかし、これらのめっき液の金属イオン濃度は安定性の面から低く調製されており、高アスペクトな孔下においては均一なめっき成長が難しい。本実施形態の方法によれば、アスペクトを小さくすることができるため、格段にめっきによる充填が容易になる。
【００１９】
次に、第２のめっき層７の形成に続き、第１のめっき層６をエッチング除去する。第１のめっき層６のエッチングは、貫通孔が設けられた基板１と導電層を有する基板２とを分離してから行う（図１（ｄ））。フォトレジストを用いて両基板を結合させた場合は、有機溶媒を用いてフォトレジストからなる結合層を溶解して分離する。また、非イオン性界面活性剤を結合層として用いた場合は、非イオン性界面剤の融点以上に加熱して非イオン性界面活性剤を溶融して分離する。ただし、分離の方法はこれらに限定されるものではない。第１のめっき層６のエッチングは、第２のめっき層７及び貫通孔が設けられた基板１がエッチングされない方法を選択する。エッチングの方法はドライエッチングやウエットエッチングの両方を使用することができる。ここで、第１のめっき層６が貫通孔５のちょうど半分の深さまで形成されていれば、第１のめっき層６のエッチングで元の貫通孔５の半分の深さの孔になる（図１（ｅ））。
【００２０】
本実施形態では、次に、第１のめっき層６がエッチング除去された孔内を第２のめっき層７から通電し、第３のめっき層８を形成する（図１（ｆ））。使用できる第３のめっき層９として、金、白金、パラジウム、ルテニウム、イリジウムが挙げられる。これにより、貫通孔５内で第２のめっき層７上に第３のめっき層９が積層し充填される。ここで積層される第２のめっき層７と第３のめっき層９とは同一の金属でも良く、また、異なっていても良い。ここでも前述の様に、第１のめっき層が貫通孔のちょうど半分の深さまで形成してあれば、第３のめっき層９をめっきする貫通孔５のアスペクトが半分となる。その結果、アスペクトを小さくした状態にて第３のめっき層８を形成できる。これにより、高アスペクトな貫通孔にめっき充填が困難であった金属でも、この方法を用いれば充填することが可能になる。また、第２のめっき層７及び第３のめっき層９として、酸化されにくい金属を選択すれば、電極自身がチャージアップしないため、電子ビームを通過させる偏向電極として使用することもできる。更に、めっき充填後の加熱プロセスを経させることも可能であり、これにより酸化腐食されにくい貫通電極基板を作製することができる。
【００２１】
本実施形態の貫通電極基板８は、貫通孔が設けられた基板１の貫通孔５内の一部に形成された第３のめっき層９と、第３のめっき層９上に第２のめっき層７が積層されていることを特徴とする。これにより、第２のめっき層７として、酸化されにくい金属を選択することにより、貫通孔５開口部から露出する金属を酸化されにくい金属にできる。また、第２のめっき層７を、金の様に容易に接合し易い材料にすることにより、新たにバンプ作製を行わなくても他のチップと直接電気的な接合をすることができる。
【００２２】
以上に述べた様に、本実施形態の貫通電極基板の製造方法ないし金属充填方法によれば、異なる金属にて貫通孔内に金属を充填することができる。これにより、高アスペクトな貫通孔へのめっきによる充填が困難であった金属でも、貫通孔の一部を充填することができる。更に、貫通孔開口部に露出する金属を、酸化しにくい金属にすることもできる。また、銅やニッケルを用いる場合、高濃度な金属イオンのめっき液を調製でき添加剤も入手し易いため、高アスペクトな貫通孔に対しても均一なめっき核発生と成長ができ、ボイドの発生が抑制される。更に、銅やニッケルは、種々の酸水溶液にて容易にエッチング除去することができる。また、金、白金、パラジウム、ルテニウム、イリジウムなどを用いる場合、酸化されにくい金属を貫通孔に充填にすることができる。また、限られたエッチング液でしかエッチングされないため、エッチング選択性が高く製造時のプロセスマージン（諸プロセス条件の許容度）を大きくする効果を奏する。
【００２３】
以下、具体的な実施例を挙げて本発明をより詳細に説明する。
（実施例）
（第１の実施例）
第１のめっき層が銅で、その上に第２のめっき層として金を積層し、最後に金をバンプとして用いてチップと接合する技術に係る第１の実施例を図２を用いて説明する。
【００２４】
本実施例では、貫通孔が設けられた基板１と導電層４を有する基板２とが結合された基板３を次の様に用意する。１００ｍｍΦで厚さ０．１ｍｍのステンレスフィルムの導電層４を有する基板２を用いる。非イオン性界面活性剤としてポリオキシエチレンラウリルエーテル（融点３４℃）を用い、重量比３対１のシクロペンタノンとアセトンの混合溶媒に溶解させ１０重量％のポリオキシエチレンラウリルエーテル溶液を調製する。この溶液をステンレスフィルム上にスピンコートし、室温に１５分間放置することで、ポリオキシエチレンラウリルエーテルの固体がステンレスフィルム上に析出し非イオン性界面活性剤の層が形成される。貫通孔が設けられた基板１は、長辺６μｍで短辺が１５μｍの長方形が２５μｍの間隔で並んだ組パターンの貫通孔がピッチ１６０μｍで３２×３２個並んでいる厚さ２００μｍの４インチウエハを用いる。このシリコンウエハの表面には熱酸化膜（不図示）が１μｍの厚さで形成されていて、表面は絶縁性である。また、貫通孔５の開口面には２μｍの熱酸化膜１０が形成されている。
【００２５】
導電層を有する基板２上の非イオン性界面活性剤層上に貫通孔が設けられた基板１を重ねて置き、７０℃に加熱されたホットプレート上に置くと、ポリオキシエチレンラウリルエーテルが溶融し導電層を有する基板２と貫通孔が設けられた基板１が互いに貼りつく。その後、室温に冷却することでポリオキシエチレンラウリルエーテルが固体になり、導電層を有する基板２と貫通孔が設けられた基板１が強固に貼りつく。この基板をイオン交換水の入ったビーカーに３分間浸す。これにより、貫通孔５を観察すると、貫通孔５内からポリオキシエチレンラウリルエーテルが溶出していき貫通孔５下の導電層４が露出されることが分かる。これを、貫通孔が設けられた基板１と導電層を有する基板２とが結合された基板３として用いる（図２（ａ））。
【００２６】
本実施例では第１のめっき層６として銅を用いる。上記基板３を硫酸銅めっき液に浸し、室温にてステンレスフィルム４から４８ｍＡで９時間通電し、貫通孔５内に銅のめっき層６を厚さ１８０μｍまで成長させる（図２（ｂ））。硫酸銅めっきの陽極には、リン含有銅板を用いる。硫酸銅めっき液は次の組成にて調製されたものを用いる。
硫酸銅・５水和物  ２００(ｇ／Ｌ) 
９８％濃硫酸  １４(ｍＬ／Ｌ)  
３５％塩酸  ０．０９(ｍＬ／Ｌ)   
Ｃｕ−Ｂｒｉｔｅ  ＶＦＩＩ−Ａ（荏原ユージライト社製）  ２０(ｍＬ／Ｌ)
Ｃｕ−Ｂｒｉｔｅ  ＶＦＩＩ−Ｂ（荏原ユージライト社製）  １(ｍＬ／Ｌ)
【００２７】
本実施例では、第２のめっき層７として金を用いる。第１のめっき層６のめっき終了後、基板を水洗する。そして、ノンシアン金めっき液（ミクロファブＡｕ１１０１、日本エレクトロプレイティング・エンジニアヤース社製）にてめっき液温度５０℃で４.８ｍＡで４時間通電し、貫通孔５から突出するまで金めっきを行う（図２（ｃ））。基板を水洗後、窒素ブローで乾燥させる。次に、この基板のめっき突出面を下に向け８０℃に加熱されたホットプレートに置き、ポリオキシエチレンラウリルエーテルを溶融させる。そして、ステンレスフィルムをピンセットで摘み、ステンレスフィルムのみを基板面に対し平行な方向にずらしていき剥離する（図２（ｄ））。第２のめっき層７が突出した部分を化学的機械研磨（ＣＭＰ）にて研磨する。これによって、銅と金とが積層した貫通電極基板８が得られる（図２（ｄ））。
【００２８】
次に、貫通孔の開口面に２μｍの厚さで形成された熱酸化膜１０をバッファードフッ酸にてエッチング除去すると金のめっき層が突出する（図２（ｅ））。この突出した金のめっき層７をバンプとして用い、金の配線が形成されたチップを押し当て接合する。これによって、貫通電極基板とチップ１０とが電気的に接続される（図２（ｆ））。
【００２９】
（第２の実施例）
第１のめっき層が銅で、その上に第２のめっき層として金を積層し、第１の銅を除去しそこに第３のめっき層として金をめっきする技術に係る第２の実施例を図１で説明する。本実施例では、第１の実施例と同様な方法で、貫通孔５が設けられた基板１と導電層４を有する基板２とが結合された基板３を用意する（図１（ａ））。
【００３０】
本実施例では第１のめっき層６として銅を用いる。上記基板３を硫酸銅めっき液に浸し、室温にてステンレスフィルムから４８ｍＡで５時間通電し、貫通孔５内に銅のめっき層６を厚さ１００μｍまで成長させる（図１（ｂ））。硫酸銅めっきの陽極にはリン含有銅板を用いる。硫酸銅めっき液は第１の実施例と同様なものを用いる。
【００３１】
本実施例では第２のめっき層７として金を用いる。第１のめっき層６のめっき終了後、基板を水洗する。そして、ノンシアン金めっき液（ミクロファブＡｕ１１０１）にてめっき液温度５０℃で７．２ｍＡで１２時間通電し、貫通孔から突出するまで金めっきを行う（図１（ｃ））。貫通孔が設けられた基板１と導電層を有する基板２との分離は、第１の実施例と同様に行う（図１（ｄ））。次に、めっき層が充填された貫通孔が設けられた基板１を塩酸と過酸化水素水との混合液に浸すと、第１の銅めっき層６のみがエッチング除去され深さ１００μｍの孔が現れる（図１（ｅ））。
【００３２】
本実施例では第３のめっき層９として金を用いる。貫通孔から突出した金のめっき層７に導電シートを押し当てノンシアン金めっき液（ミクロファブＡｕ１１０１）にてめっき液温度５０℃で７．２ｍＡで１２時間通電し、貫通孔から突出するまで金めっきを行う（図１（ｆ））。めっき層が突出した部分を化学的機械研磨（ＣＭＰ）にて研磨する。これによって、金７、９によって充填された貫通電極基板８が得られる。各貫通電極の上下にテスタープローブをあてると導通が確認される。
【００３３】
（比較例）
上記第２の実施例との比較例を説明する。本比較例では、第１の実施例と同様な方法で貫通孔が設けられた基板と導電層を有する基板が結合された基板を用意する。ノンシアン金めっき液（ミクロファブＡｕ１１０１）にてめっき液温度５０℃で７．２ｍＡで２４時間通電し、貫通孔から突出するまで金めっきを行う。この金めっきでは、各貫通孔からまばらに金めっき層が突出し、めっき成長が遅く未突出の貫通孔上を、隣接する貫通孔から突出した金めっき層が覆う様に成長する。めっき層が突出した部分を化学的機械研磨（ＣＭＰ）にて研磨し、各貫通電極の導通を確認すると通電しない貫通電極がある。このことから、最初から金めっきを続けて行うと、成長ばらつきでボイドが発生することが分かる。この結果は、貫通孔に金めっき層を充填する技術として、第２の実施例とは対照的である。
【００３４】
（第３の実施例）
異種金属での充填を、上記実施例とは違う組み合わせの金属で行う第３の実施例を図１で説明する。第３の実施例では、第１のめっき層がニッケルで、その上に第２のめっき層として金を積層し、第１のニッケルめっき層を除去してそこに第３のめっき層としてパラジウムをめっきする。本実施例でも、第１の実施例と同様な方法で貫通孔５が設けられた基板１と導電層４を有する基板２とが結合された基板３を用意する（図１（ａ））。
【００３５】
本実施例では第１のめっき層６としてニッケルを用いる。上記基板３を硫酸ニッケルめっき液に浸し、室温にてステンレスフィルムから４８ｍＡで５時間通電し、貫通孔７内にニッケルのめっき層９を厚さ１００μｍまで成長させる（図１（ｂ））。硫酸ニッケルめっきの陽極にはニッケル板を用いる。
【００３６】
本実施例では第２のめっき層７として金を用いる。第１のめっき層６のめっき終了後、基板を水洗し、ノンシアン金めっき液（ミクロファブＡｕ１１０１）にてめっき液温度５０℃で７．２ｍＡで１２時間通電し、貫通孔から突出するまで金めっきを行う（図１（ｃ））。貫通孔が設けられた基板１と導電層を有する基板２との分離は第１の実施例と同様に行う（図１（ｄ））。めっき層が充填された貫通孔が設けられた基板１を、塩酸と過酸化水素水との混合液に基板を浸すと第１のニッケルのみがエッチング除去され深さ１００μｍの孔が現れる（図１（ｅ））。
【００３７】
本実施例では第３のめっき層９としてパラジウムを用いる。貫通孔から突出した金のめっき層７に導電シートを押し当てる。そして、パラジウムめっき液（パラデックス９１ＧＶ、日本エレクトロプレイティング・エンジニアヤース社製）にてめっき液温度５０℃で７．２ｍＡで６時間通電し、貫通孔から突出するまでパラジウムめっきを行う（図１（ｆ））。めっき層が突出した部分を化学的機械研磨（ＣＭＰ）にて研磨する。これによって、金７とパラジウム９が積層し充填された貫通電極基板が得られる。各貫通電極の上下にテスタープローブをあてると導通が確認される。第２の実施例及び第３の実施例で示された効果より、第２のめっき層と第３のめっき層が同一もしくは異なった金属のめっき層で、金、白金、パラジウム、ルテニウム、イリジウムの何れかのめっき層である場合にも、本発明が有効であることが分かる。
【符号の説明】
【００３８】
１・・貫通孔が設けられた基板、２・・導電層を有する基板、３・・結合された基板、４、導電層、５・・貫通孔、６・・第１のめっき層（めっき層）、７・・第２のめっき層（めっき層、別のめっき層）、８・・貫通電極基板、９・・第３のめっき層（別のめっき層）
【図１】
0005671317.tif 000002
【図２】
0005671317.tif 000003